Podtech/llm-jp-corpus-v4-ja_patent huggingface dataset:
(57)【要約】      （修正有）【課題】負荷を減らし、発電効率を向上できる安価な発電機を提供する。【解決手段】回転子磁石１の両側面に絶縁した導線をコイルバネ状にして置く事や絶縁した導線を磁石の巾より大きくつづら折りにして回転方向に平行に並べ一列に重ならない様にそろえて磁石の正面全体を覆い、両側面に折り曲げて磁石に接着する。つづら折りにした導線を固定子に付けても良い。【選択図】図１
0003207949.tif 000002
【実用新案登録請求の範囲】
【請求項１】
鉄枠に巻線の付いた固定子がありそれに対向する回転子磁石が回り起電する発電機です  この発電機の回転板に付く磁石の回転方向両側面に絶縁したコイルバネを配置するのに磁石の正面よりはみ出さない様にして絶縁した  導線を隙間なく巻いたコイルバネを磁石の側面右の回転軸方向の長さまで巻いて側面左に絶縁した導線を伸し側面左も隙間なく巻いたコイルバネを磁石の側面左の回転軸方向の長さまで巻いて側面右のコイルバネと側面左のコイルバネの両端を結びこれをはずれない様に磁石の側に固定して回転子磁石として回すと回転子の負荷が減りますこの様に絶縁した導線コイルバネを磁石の両側面に付ける事を特徴とする発電機です
【請求項２】
更に固定子に対向する回転子磁石に絶縁した導線をつづら折りにして回転方向の磁石の巾より大きめに折曲げた線を回転方向に平行になる様に並べ重ならない様一列にそろえ固定子に対向する磁石の正面全体を覆い両側面の回転板の方向に正面より曲げ磁石に接着して回転子磁石を回すと回転の負荷が減る発電機です  又このつづら折りにした物を固定子に付けても良い
【考案の詳細な説明】
【技術分野】
【０００１】回転子の負荷を減らす発電機
【背景の技術】
【０００２】固定子に対向する回転子磁石で起電する発電機
【考案の概要】
【考案が解決しようとする課題】
【０００３】固定子と回転子磁石の発電はそのままの回転でも負荷があります電流が固定子に流れると空回転の半分の回転となりますこの負荷を減らす事が必要です
【課題を解決するための手段】
【０００４】鉄枠に左巻き右巻きした巻線の付く固定子を円周上に複数個並べた中心に回転軸の入る穴があり  そこに回転軸の付いた回転板を配置固定子に対向する磁石は固定子の半分の個数にして全部同極を回転子磁石にします  その磁石の側面右に絶縁した導線をコイルバネに巻いて側面右の回転軸方向の長さまで巻いて側面左に線を伸ばしコイルバネに巻き側面左の回転軸方向の長さまで巻いた線の両端を結び磁石が対向する面より出ない様取付けて回転子磁石として回すと負荷を減らす事が出来る発電機を提供する事が出来ます【０００５】固定子に対向する磁石の正面に細い絶縁した導線をつづら折りに左右に折り曲げる巾を回転方向磁石の巾より大きく折り曲げて線を回転方向に平行になる様に並べ重ならない様一列にそろえ磁石の正面全体を覆い両側面右と左の回転板方向に折り曲げて磁石に接着した回転子磁石を回わす事で負荷が減ります  又このつづら折りにした物を固定子に付けても良い
【考案の効果】
【０００６】部品も少なく簡単でこの部品を付けるだけで負荷を減らす事が出来ます発電効率をあげる事が第一と思います
【考案を実施する為の形態】
【０００７】鉄枠（３）に巻線（４）の付いた固定子（２）がありそれに対向する回転子磁石が回り起電する発電機ですこの発電所の回転板（７）に付く磁石（１）の両側面右と左にコイルバネ（５）を置くのに磁石（１）の正面よりはみ出ない様にして絶縁した  導線を隙間なく巻いたコイルバネ（５）を側面右の長さ（回転軸方向）まで巻き側面左側に導線を伸し側面左も隙間なく回転軸方向の長さまで巻いた線の両端を結びこれをはずれない様に固定して回転子磁石として回すと負荷が減ります
【０００８】更に固定子（１）に対向する回転子磁石に細い絶縁した導線をつづら折り（６）に左右に折り曲げ磁石（１）の回転方向の巾より大きく折り曲げた線を回転方向に平行になる様並べ重ならない様に一列にそろえ固定子（２）に対向する磁石（１）の正面全体を覆い側面右と左の回転板（７）の方向に曲げて磁石（１）に接着する  又このつづら折り（６）にした物を固定子（１）に付けても良い
【図面の簡単な説明】
【０００９】
【図１】  全体図
【図２】  部品の配置図
【符号の説明】
【００１０】  １  磁石
２  固定子
３  鉄枠
４  巻線
５  コイルバネ
６  つづら折り曲げ
７  回転板
８  回転軸
９  磁石の側面右
１０  磁石の側面左
【図１】
0003207949.tif 000003
【図２】
0003207949.tif 000004
【手続補正書】
【提出日】平成28年9月16日(2016.9.16)
【手続補正１】
【補正対象書類名】実用新案登録請求の範囲
【補正対象項目名】全文
【補正方法】変更
【補正の内容】
【実用新案登録請求の範囲】
【請求項１】
鉄枠に巻線の付いた固定子がありそれに対向する回転子磁石が回り起電し、回転板に付く磁石の回転方向両側面に絶縁した導線のコイルバネを配置するのに、磁石の正面よりはみ出さない様にして絶縁した導線を隙間なく巻いたコイルバネを、磁石の側面右の回転軸方向磁石の長さまで巻いて側面左に絶縁した導線を伸し、側面左も隙間なく巻いたコイルバネを磁石の側面左の回転軸方向磁石の長さまで巻いて、側面右のコイルバネと側面左のコイルバネの両端の導線を結び、はずれない様に磁石の側に固定して回転子磁石として回すことで、回転子の負荷が減る事を特徴とする発電機。
【請求項２】
固定子又は固定子に対向する回転子磁石に絶縁した導線をつづら折りにして、回転方向磁石の巾より大きめに折曲げた線を、回転方向に平行になる様に並べ重ならない様一列にそろえ、固定子に対向する磁石の正面全体を覆い、両側面の回転板の方向に正面より曲げ磁石に接着して、回転子磁石を回すことで、回転の負荷が減ることを特徴とする請求項１に記載の発電機。
(57)【要約】【課題】読書の途中でも眼鏡をかけたまま前方のテレビ等を見ることができ、眼鏡を着用したままの立ち移動や自動車の運転ができる老眼鏡を構成する老眼用眼鏡レンズを提供する。【解決手段】1枚のレンズ中に、老眼用レンズ領域２と非レンズ領域３を有することを特徴する。老眼用レンズ領域２は、縦置き状態で水平方向中央線４よりも下方向に配設され、眼鏡１を着用したまま、視線を移動させるだけで、手元と前方の両方を視認することを可能とする。これにより、読書等の途中での立ち移動や、眼鏡をかけたままの自動車運転が可能となり、運転中にインストルメントパネルのメーターや調整つまみの文字の確認が容易になる。【選択図】図１
0003207864.tif 000002
【実用新案登録請求の範囲】
【請求項１】
老眼鏡に使用される老眼用眼鏡レンズであって、老眼用レンズ領域と非レンズ領域とを有することを特徴とする老眼用眼鏡レンズ。
【請求項２】
前記老眼用レンズ領域は、前記老眼用眼鏡レンズを縦置き状態で前記老眼用眼鏡レンズの水平方向中央線よりも下方向に配設されていることを特徴とする請求項１記載の老眼用眼鏡レンズ。
【考案の詳細な説明】
【技術分野】
【０００１】
本考案は、老眼用レンズ領域と非レンズ領域とを有する老眼用眼鏡レンズに関する。
【背景技術】
【０００２】
老眼鏡に使用されている老眼用眼鏡レンズとしては、老視のみを患う者が使用する老眼用レンズ、又は、近視・老視の両方を併患する者が使用する遠近両用のものが知られている。このうち、老視のみを患う者を対象とする老眼用眼鏡レンズは、レンズ全体が老眼用レンズ領域で構成されているのが通常で、老眼用レンズ領域と非レンズ領域とを有するものはない。
【考案の概要】
【考案が解決しようとする課題】
【０００３】
近視を有しない老視者は、近距離の文字等を見るときに老眼鏡を使用するが、テレビ等中距離以遠のもの見るときには、眼鏡を上下にずらすか、一旦、老眼鏡を外す必要があった。また、読書等の途中でトイレに行くときなどには、眼鏡をかけたままでの立ち移動が難しかった。さらに、自動車運転時には老眼鏡を着用することはできないため、運転中、視界下部に位置するインストルメントパネルのメーターや調整つまみの文字の確認が難しいという事情があった。
【０００４】
上述の問題に鑑み、本考案においては、読書の途中でも眼鏡をかけたまま前方のテレビ等を見ることができ、着用したまま立ち移動や自動車の運転ができる老眼鏡を構成する老眼用眼鏡レンズを提供することを課題とする。
【課題を解決するための手段】
【０００５】
上記課題を解決するために、本考案に係る老眼用眼鏡レンズは、老眼鏡に使用される老眼用眼鏡レンズであって、老眼用レンズ領域と非レンズ領域とを有することを特徴とする。前記老眼用レンズ領域は、縦置き状態で水平方向中央線よりも下方向に配設されていて、視線を移動させるだけで、遠近両方を視認することを可能とする。
【考案の効果】
【０００６】
本老眼用眼鏡レンズを使用した老眼鏡を着用することにより、手元の細かいものを見るときは目線を下方に移し、テレビ等を見るときは眼鏡を着用したまま前方に目線を移動するだけですむようになる。
【０００７】
本老眼用眼鏡レンズを使用した老眼鏡を着用することにより、読書等の途中でトイレ等に行くとき、眼鏡を着用したままの立ち移動が可能となる。
【０００８】
本老眼用眼鏡レンズにより、老眼鏡を着用したまま自動車を運転することが可能となり、運転中にインストルメントパネルのメーターや調整つまみの文字の確認が容易になる。
【図面の簡単な説明】
【０００９】
【図１】円形又は略円形の老眼用眼鏡レンズの正面図である。
【図２】略方形の老眼用眼鏡レンズの正面図である。
【考案を実施するための形態】
【００１０】
以下、本実施形態に係る老眼用眼鏡レンズ１について、図を用いて説明する。通常、レンズの形状は利用者の嗜好に合わせて、円形に近いものと方形に近いもののいずれかに属する。図１は前者、図２は後者の範疇に属するレンズを示す。
【００１１】
図１・２に示すように、本実施形態のレンズ１は、1枚のレンズ内に老眼用レンズ領域２と非レンズ領域３を有する。老眼用レンズ領域２は、近距離手元の文字等を視認する目的から、縦置き状態で中央線４よりも下方に配設されている。
【００１２】
本実施形態においては、図１の丸型レンズ、図２の方形レンズともに、老眼用レンズ領域２は、最下部と中央線４との中間程度の高さに配設されている。また、非レンズ領域３との境界は水平かつ直線となっている。前記最下部からの高さ及び前記非レンズ領域３との境界の線形については幾種類か異なるものを用意し、購入者の選択に委ねることも可能である。
【符号の説明】
【００１３】
１    老眼用眼鏡レンズ
２    老眼用レンズ領域
３    非レンズ領域
４    中央線
【図１】
0003207864.tif 000003
【図２】
0003207864.tif 000004
(57)【要約】      （修正有）【課題】店舗のレジ係が被包装物（商品）を手に持った時に直ちにバーコードの位置を把握することができるようにしたシュリンク包装用フィルムを提供する。【解決手段】全被包装物に対応する複数のバーコード７をシュリンク包装用フィルム１の周方向に略等角度で離間させた状態で備えさせる。シュリンク包装用フィルム１により集積包装される各被包装物も側面にバーコードを備えている。シュリンク包装用フィルム１に備えさせた複数のバーコード７は、すべて同一の内容を有する。【選択図】図１
0003207891.tif 000002
【実用新案登録請求の範囲】
【請求項１】
それぞれ全被包装物に対応する複数のバーコードを周方向に略等角度で離間させた状態で備えさせたことを特徴とするシュリンク包装用フィルム。
【考案の詳細な説明】
【技術分野】
【０００１】
本考案は、シュリンク包装用フィルムに関するものであり、更に詳しくは、缶詰、瓶詰、ペットボトル詰等の被包装物をシュリンク包装するためのシュリンク包装用フィルムに係るものである。
【０００２】
本考案におけるシュリンク包装用フィルムは、複数の被包装物を集積状態でシュリンク包装するもののみならず、単数の被包装物をシュリンク包装するものをも含むものとする。
【背景技術】
【０００３】
一般に、シュリンク包装用フィルムは、全被包装物のバーコードに対応する単一のバーコードを備えている。例えば複数の被包装物を集積状態でシュリンク包装するシュリンク包装用フィルムには、複数の被包装物に付せられた全バーコードに対応する単一のバーコードが付せられている。この場合、バーコードスキャナー等のバーコードの読取手段により各被包装物に付せられたバーコードが読み取られることを防止するために、シュリンク包装用フィルムには各被包装物に付せられたバーコードの読取を妨げるための遮蔽手段が施されている。
【０００４】
シュリンク包装用フィルムによりシュリンク包装された被包装物を販売する際には、店舗のレジ係はバーコードの読取手段によりシュリンク包装用フィルムに備えさせた単一のバーコードを読み取らせる。
【考案の概要】
【考案が解決しようとする課題】
【０００５】
しかるに、従来のシュリンク包装用フィルムに備えさせたバーコードは一つのみであるため、店舗のレジ係は、販売時に、シュリンク包装用フィルムに包装されている被包装物（商品）を手に持ち、これを回動させて当該一つのバーコードを探し、該バーコードの位置を把握した後、該バーコードを読取手段により読み取らせるのである。すなわち、レジ係が商品を手に持ってからバーコードの読取完了までに若干の余分な時間を要する。この時間の蓄積により、店舗のレジにおいて客の渋滞が生ずるおそれがある。
【０００６】
このような課題を解決するために、本考案は、店舗のレジ係が被包装物（商品）を手に持った時に直ちにバーコードの位置を把握することができるようにしたシュリンク包装用フィルムを提供しようとしてなされたものである。
【課題を解決するための手段】
【０００７】
上記課題を解決するために、本考案は、下記のシュリンク包装用フィルムを提供するものである。
それぞれ全被包装物に対応する複数のバーコードを周方向に略等角度で離間させた状態で備えさせたことを特徴とするシュリンク包装用フィルム。
【考案の効果】
【０００８】
本考案によるシュリンク包装用フィルムは、それぞれ全被包装物に対応する複数のバーコードを周方向に略等角度で離間させた状態で備えさせているため、店舗のレジ係は、被包装物（商品）を手に持った時に瞬時にバーコードの位置を把握することができる。すなわち、レジ係が商品を手に持ってからバーコードの読取完了までに要する時間が著しく短縮される。
【図面の簡単な説明】
【０００９】
【図１】図１は、本考案によるシュリンク包装用フィルムの一例の使用状態を示す斜視図である。
【図２】図２は、本考案によるシュリンク包装用フィルムの別の一例の使用状態を示す平面図である。
【図３】図３は、同上シュリンク包装用フィルムにより集積包装される被包装物たる缶詰の一例を示す斜視図である。
【図４】図４は、本考案による別のシュリンク包装用フィルムの使用状態を示す斜視図である。
【考案を実施するための形態】
【００１０】
本考案によるシュリンク包装用フィルム１は、それぞれ全被包装物３、３・・・に対応する複数のバーコード７を周方向に略等角度で離間させた状態で備えさせている。
【００１１】
図１に示す事例においては、シュリンク包装用フィルム１のバーコード７は、周方向に約１８０°の角度で離間させた状態で備えさせている。
【００１２】
図２に示す事例においては、シュリンク包装用フィルム１のバーコード７は、周方向に約１２０°の角度で離間させた状態で備えさせている。
【００１３】
図３に示すように、シュリンク包装用フィルム１により集積包装される各被包装物３は側面３ａにバーコード５を備えている。シュリンク包装用フィルム１に備えさせた各バーコード７は、全被包装物３、３・・・のバーコード５、５・・・に対応するものである。シュリンク包装用フィルム１に備えさせた複数のバーコード７は、すべて同一の内容を有する。
【００１４】
シュリンク包装用フィルム１により包装される全被包装物３、３・・・のバーコード５、５・・・は、シュリンク包装用フィルム１に備えさせた遮蔽手段により読取が防止される。すなわち、店舗のレジ係は、バーコードスキャナー等の読取手段を用いて、シュリンク包装用フィルム１に備えさせた複数のバーコード７のうちのいずれか一つのバーコード７を読み取らせるのである。
【００１５】
図１に示すシュリンク包装用フィルム１は、前記遮蔽手段として、被包装物の全側面に対応する部分に、アルミニウム粉を含む銀インキを白インキに混入してなる遮蔽インキ層を形成している。
【００１６】
図４に示すシュリンク包装用フィルム１は、前記遮蔽手段として、被包装物の全側面に対応する部分に、青、紫緑等の寒色の線条９、９・・・を形成している。
【符号の説明】
【００１７】
１  シュリンク包装用フィルム
３  被包装物
３ａ  側面
５  バーコード
７  バーコード
９  線条
【図１】
0003207891.tif 000003
【図２】
0003207891.tif 000004
【図３】
0003207891.tif 000005
【図４】
0003207891.tif 000006
(57)【要約】      （修正有）【課題】災害時、緊急時等に、大量の水洗便器を必要とされる場合に、速やかに現場へ移動可能で、特に女性、車椅子の方向きで、不衛生になりやすい、現場で効果を発揮できる水洗便器付き大型移動自動車を提供する。【解決手段】上、下段、に分断されて複数の個室を備え、尚かつ当該個室内に水洗トイレを備えた水洗便器付き大型移動自動車であって、天井部に貯水槽２と、床下部に汚水槽７と電源部１２とを備え、前記自動車の後部に出入り口を配置し、該出入り口に車椅子用昇降装置１１を設えた。【選択図】図１
0003207814.tif 000002
【実用新案登録請求の範囲】
【請求項１】
上、下段、に分断されて複数の個室を備えた自動車と搭載した移動式水洗トイレであって、天井部に貯水槽と、床下部に汚水槽と電源部とを備え、前記自動車の後部に出入り口を配置し、該出入口に車椅子用昇降装置を設えた、ことを特徴とした水洗便器付き大型移動式自動車に搭載した移動式水洗トイレ。
【考案の詳細な説明】
【技術分野】
【０００１】本考案は、災害時、緊急時に大量の水洗便器を必要とされる場合に役に立つ。昇降機能付き、個室水洗便器付き、大型移動自動車。
【背景技術】
【０００２】従来の移動式は、車両にコンテナを１段に固定された、便器ユニットを設置されたものであった。（例えば、特許文献１、参照）
【先行技術文献】
【特許文献】
【０００３】
【特許文献１】特開２００１−２０３５２号  公報
【考案の概要】
【考案が解決しようとする課題】
【０００４】以上に述べた、従来の移動式便器は大量の水洗便器ではなかったが。
本考案は災害時、緊急時に大量の水洗便器を必要とされる場合、現場へ移動可能用にした移動式水洗トイレが必要とされるため考案した。
【課題を解決するための手段】
【０００５】上、下階に分断されて複数の個室を備えた自動車に搭載した移動式トイレであって、天井部に貯水槽と床下部に汚水槽と電源部とを備えた前記自動車の後部に出入口を配置し、該出入口に車椅子用昇降装置を設えた、ことを特徴とした自動車に搭載した移動式トイレとすることで解決されている。上記目的を達成するために天井部分に除菌、殺菌液入り洗浄用貯水槽を有し。床下部分に汚水槽を有し。本体の汚水は、マンホール他許可されている場所まで移動し、汚水を放出するホースを有する。電源は充電式イオン電池使用別に使用可能なもの使用。
【考案の効果】
【０００６】災害時、緊急時等に大量の水洗便所を必要とされる場合に、現場へ移動可能で、最も、衛生的で、目的を達成出来る。又、（男、女、車椅子の方も利用できる）上、下、昇降機機能を有する。水洗便器付き大型移動自動車。
【図面の簡単な説明】
【０００７】
【図１】自動車横全面図
【図２】トイレ個室内
【図３】自動車前全面図、後兼ねる。
【考案を実施するための形態】
【０００８】以下、本考案の実施の形態を図１〜図２に基いて説明する。
【実施例】
【０００９】図１、の図面は、上段１列に見えるが、上、下、両側２列で、通路は、上、下、共に中央にある。
図２、の図面は、トイレ個室内の便器の設置説明である。
符合１、は水注入口、蓋、栓、
符合２、の除菌、殺菌液入り洗浄水を符合１３、の洗浄液送水管を通して符合６、のトイレ個室内の便器へ送り符合７、の除菌、殺菌済みの汚水を汚水槽へ溜め符合８、の汚水放出用ホースを通し外部へ放出する。
水洗便器付き大型自動車は大型バスが最適である。
下の階を利用する場合は後方から前方出口へ進み前方の出口から出る健常者の場合。
上の階を利用する場合は昇降機を利用、車椅子は後方の昇降機で入り昇降機を降ろして後方から昇降機で出る。
両側２列で上、下階２層式、各個室、出入り口は、後方の車椅子用の昇降機を利用。
符合４、の手洗いは、２階、１階、前方に、符合３、の運転席横側出口脇に各備えてある。
符合１、は水注入口、蓋、栓、
符合２、は除菌、殺菌液入りの洗浄用貯水槽、
符号３、は運転席、
符合４、手洗い室、
符合５、は前部出入り口階段（ステップ）３段、
は後部出入り口階段（ステップ）３段、
符合１１、は（出入り口）（車いす用）の昇降機ステップ、
符合７、は除菌、殺菌済み汚水槽、
符合８、は汚水放出用ホース、
符合９、は自動車前車輪、
符合１０、は自動車後車輪、
符合１２、は充電式電源その他の電源部、
符合１３、は洗浄液送水管、
符合１４、はロールペーパー、
符合１５、は便器の上蓋、
符合１６、は便器の中蓋、
符合１７、は便器本体、
符合１８、は鏡、
符合１９、は左右開閉式（スライド式ドアー）
符合２０、は天井、ＬＥＤ点滅燈、
【符合の説明】
【００１０】１、水注入口、蓋、栓、
２、除菌、殺菌液入り、洗浄用貯水槽、
３、運転席、
４、手洗い室、運転席横側面、
５、運転席横側面、前部出入り口３段（ステップ）階段、
５、              後部出入り口３段（ステップ）階段、
６、トイレ個室、
１１、（出入り口）（車いす用）昇降機、ステップ、
７、除菌、殺菌済み汚水槽、
８、汚水放出用ホース、
９、自動車前車輪、
１０、自動車後車輪、
１２、充電式電源、その他の電源、
１３、洗浄液送水管、
１４、ロールペーパー、
１５、便器上蓋、
１６、便器中蓋、
１７、便器本体、
１８、鏡、
１９．スライド式ドアー、
２０、天井、ＬＥＤ点滅燈、
【図１】
0003207814.tif 000003
【図２】
0003207814.tif 000004
【図３】
0003207814.tif 000005
【手続補正書】
【提出日】平成28年9月6日(2016.9.6)
【手続補正１】
【補正対象書類名】実用新案登録請求の範囲
【補正対象項目名】請求項１
【補正方法】変更
【補正の内容】
【請求項１】
上、下段、に分断されて複数の個室を備え、尚かつ当該個室内に水洗トイレを備えた水洗便器付き大型移動自動車であって、天井部に貯水槽と、床下部に汚水槽と電源部とを備え、前記自動車の後部に出入り口を配置し、該出入り口に車椅子用昇降装置を設えた、ことを特徴とした水洗便器付き大型移動自動車。
(57)【要約】      （修正有）【課題】簡単に取り外しでき、耐久性に優れ、利便性の高い、脱着装置付きコンテナ車両用脱着コンテナの天蓋を提供する。【解決手段】軽量かつ耐久性のある素材により製作された脱着コンテナ用脱着天蓋であって、後面には脱着コンテナ内の荷物を下ろす際に用いられる扉が備えられ、尚かつ、脱着コンテナ用脱着天蓋の両側面には脱着コンテナに荷を投入する際に用いられる投入口が設けられている。天蓋を取り外すこと無く、荷の投入、排出が可能となる。【選択図】図１
0003207818.tif 000002
【実用新案登録請求の範囲】
【請求項１】
脱着コンテナ用脱着天蓋を軽量かつ耐久性のある素材を用いて製作
【請求項２】
脱着コンテナ用脱着天蓋の両側から荷が投入できる形状
【請求項３】
脱着コンテナ用脱着天蓋の後ろに扉を設置し、荷を降ろせる形状
【考案の詳細な説明】
【技術分野】
【０００１】    本考案は、脱着装置付きコンテナ車両用脱着コンテナの脱着天蓋に関する。
【背景技術】
【０００２】    従来の脱着用コンテナで天蓋を必要とする場合は、鉄製の天蓋付き脱着コンテナを使用している。【０００３】    しかし、上記の天蓋付き脱着コンテナは、天蓋と脱着コンテナが一体化している為、使用用途が限られている。また、天蓋付き脱着コンテナを保管する際に、積み上げ保管ができない。重量増により実質積載量が減少する。腐食しやすい。という欠点があった。
【考案の概要】
【０００４】    本考案は、以上のような従来の欠点に鑑み、簡単に取り外しでき、かつ、耐久性に優れ、使用し易い脱着コンテナ用脱着天蓋を提供する事を目的としている。
【課題を解決するための手段】
【０００５】    上記目的を達成する為、本考案は、軽量かつ耐久性のある素材を用いて製作する。［図１］の形状にし、脱着天蓋の両側に［図２］のように投入口を設置する。また、［図３］のように後ろ側に扉を設置する。
【考案の効果】
【０００６】  ［請求項１］により人力で取り外しができ、風雨等にも強い天蓋となる。【０００７】  ［請求項２］により脱着コンテナに荷を投入する際には、天蓋を取り外すことなく使用できる。【０００８】  ［請求項３］により脱着コンテナ内の荷を下ろす際に、天蓋を取り外すことなく使用できる。【０００９】  以上の説明から明らかなように、従来の天蓋付き脱着コンテナの使用に関する、欠点を解決し、より利便性の高い脱着用コンテナの天蓋を提供することができる。
【図面の簡単な説明】
【００１０】
【図１】脱着コンテナ用脱着天蓋の前面図
【図２】脱着コンテナ用脱着天蓋の横面図
【図３】脱着コンテナ用脱着天蓋の後面図
【図１】
0003207818.tif 000003
【図２】
0003207818.tif 000004
【図３】
0003207818.tif 000005
【手続補正書】
【提出日】平成28年9月14日(2016.9.14)
【手続補正１】
【補正対象書類名】実用新案登録請求の範囲
【補正対象項目名】全文
【補正方法】変更
【補正の内容】
【実用新案登録請求の範囲】
【請求項１】
軽量かつ耐久性のある素材により製作された脱着コンテナ用脱着天蓋であって、当該脱着コンテナ用脱着天蓋の後面には前記脱着コンテナ内の荷物を下ろす際に用いられる扉が備えられ、尚かつ、当該脱着コンテナ用脱着天蓋の両側面には前記脱着コンテナに荷を投入する際に用いられる投入口が設けられていることを特徴とする、脱着用コンテナ用脱着天蓋。
(57)【要約】      （修正有）【課題】ＬＥＤチップ冷却に関する構造と、照明に通信機能を追加するＬＥＤ照明通信モジュールを提供する。【解決手段】ＬＥＤ発光素子４、送信発光素子５、受信受光素子或いは検出センサ２、フィルタ３、羽根形状の基板１とモータ６により構成されたＬＥＤ照明通信モジュールであって、ＬＥＤ発光素子４、送信発光素子５、受信受光素子或いは検出センサ２とフィルタ３は、羽根形状の基板に実装して、モータ６により羽根形状の基板を駆動して回転する。【選択図】図１
0003207816.tif 000002
【実用新案登録請求の範囲】
【請求項１】
ＬＥＤ照明通信モジュールは、ＬＥＤ発光素子、送信発光素子、受信受光素子或いは検出センサ、フィルタ、羽根形状の基板とモータを構成した物である。ＬＥＤ発光素子、送信発光素子、受信受光素子或いは検出センサとフィルタは、羽根形状の基板に実装（設置）して、モータにより羽根形状の基板を駆動して回転したことを特徴とする。
【請求項２】
前記羽根形状の基板は、電子部品用基板の縁部に翼の構造がある、或いは基板が羽根に固定したことを特徴とする請求項１のＬＥＤ照明通信モジュール。
【請求項３】
ＬＥＤ照明通信モジュールは、ＬＥＤ発光素子、送信発光素子、受信受光素子或いは検出センサ、フィルタを構成した物である。ＬＥＤ発光素子、送信発光素子、受信受光素子或いは検出センサとフィルタは、同じ基板に実装（設置）して、または同一平面上に設置したことを特徴とする。
【請求項４】
前記送信発光素子と受信受光素子或いは検出センサは、ＬＥＤ照明の配光構造と同じ、照明器具またはランプ自体の反射板（リフレクター）を利用して、送信発光素子の信号を拡散させる手段及び受信受光素子の信号を集める手段を特徴とする請求項１と３のＬＥＤ照明通信モジュール。
【考案の詳細な説明】
【技術分野】
【０００１】      本考案は車両・船舶照明及び交通照明に関する。本考案はＬＥＤチップ冷却に関する構造、と照明に通信機能を追加する構造である。
【背景技術】
【０００２】      従来のＬＥＤ照明の放熱構造は、放熱板（ヒートシンク）の大きさ及びファンの有無が放熱性能への影響している。従来、照明と通信は別々になっていた。
【先行技術文献】
【特許文献】
【０００３】
【特許文献１】実用新案登録第３１９９４１２号
【考案の概要】
【考案が解決しようとする課題】
【０００４】      課題一、従来のＬＥＤ照明の放熱構造は放熱板が必要であり、特に明るさが明るくあればあるほど、放熱板は大きくなる。冷却ファンを追加することは一つ対策があるが、但し、従来の照明器具の設計は、放熱板と冷却ファンのスペースが未考慮である。これはＬＥＤ照明へ切り替える際の課題になる。【０００５】      課題二、従来の照明器具は、照明の機能だけである。自動運転技術、次世代交通システムの発展により、車両へのスマート化の需要が高まる。法律上規制で、暫く車両外部構造の変更が困難であり、既存車両構造部分を機能追加することは課題になる。
【課題を解決するための手段】
【０００６】      そして、本考案は上記課題を解決するために、
課題一の解決手段、ＬＥＤ発光素子は翼状の基板に実装する。翼状の基板を回転して、空気の動きが生じて、ＬＥＤ発光素子に冷却する。【０００７】      課題二の解決手段、ＬＥＤ発光素子の基板に送信発光素子、受信受光素子或いは検出センサの通信用部品を追加する。
【考案の効果】
【０００８】      本考案では、翼状の基板を回転して、ＬＥＤ発光素子の発熱が効率よく拡散できる、放熱板も小さく出来る。また、基板の回転により均一輝度分布出来て、配光設計もしやすくなる。
本考案では、車両間及び周辺の通信できましたら、車両の識別、ＧＰＳ位置情報と交通情報の共有、車両間安全距離と時間の計算、カーナビ情報により車両のチーム編成、自動運転のサポートを実現出来る。
【図面の簡単な説明】
【０００９】
【図１】本考案の実施の形態を示す図である。
【図２】本考案は照明器具と合わせる実施の形態、及び応用例の図である。
【考案を実施するための形態】
【００１０】      本考案の実施の形態は図面を参照して説明する。
【００１１】      図においては、４ＬＥＤ発光素子、５送信発光素子、２受信受光素子或いは検出センサと３フィルタは、１羽根形状の基板に実装（設置）して、６モータにより１羽根形状の基板を駆動して回転したこと。
【符号の説明】
【００１２】１  羽根形状の基板
２  受信受光素子或いは検出センサ
３  フィルタレンズ
４    ＬＥＤ発光素子
５  送信発光素子
６  モータ
７  口金
８  放熱板（ヒートシンク）
９  シェード（遮光板）とベアリング
１０  基板
１１  羽根
１２  レンズ
【図１】
0003207816.tif 000003
【図２】
0003207816.tif 000004
【手続補正書】
【提出日】平成28年9月12日(2016.9.12)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤ発光素子、送信発光素子、受信受光素子或いは検出センサ、フィルタ、羽根形状の基板とモータにより構成されたＬＥＤ照明通信モジュールであって、ＬＥＤ発光素子、送信発光素子、受信受光素子或いは検出センサとフィルタは、羽根形状の基板に実装（設置）して、モータにより羽根形状の基板を駆動して回転することを特徴とするＬＥＤ照明通信モジュール。
【請求項２】
前記羽根形状の基板は、電子部品用基板の縁部に翼の構造がある、或いは基板が羽根に固定したことを特徴とする請求項１記載のＬＥＤ照明通信モジュール。
【請求項３】
ＬＥＤ発光素子、送信発光素子、受信受光素子或いは検出センサ、フィルタにより構成されたＬＥＤ照明通信モジュールであって、ＬＥＤ発光素子、送信発光素子、受信受光素子或いは検出センサとフィルタは、同じ基板に実装（設置）して、または同一平面上に設置したことを特徴とするＬＥＤ照明通信モジュール。
【請求項４】
前記送信発光素子と受信受光素子或いは検出センサは、ＬＥＤ照明の配光構造と同じ、照明器具またはランプ自体の反射板（リフレクター）を利用して、送信発光素子の信号を拡散させる手段及び受信受光素子の信号を集める手段を特徴とする請求項１又は３に記載のＬＥＤ照明通信モジュール。
(57)【要約】      （修正有）【課題】より多くの海産物を育てることができ、外洋で養殖できる外洋養殖場を提供する。【解決手段】外洋には、干潟より３ｍほど低い海中に、台風などの影響を受けない海中があり、この海中に、取付台６の上部に設置された農耕用コンテナ５が、ロープ７及びアンカー８を用いて固定されている。【選択図】図１
0003207812.tif 000002
【実用新案登録請求の範囲】
【請求項１】
外洋には、干潟より３ｍほど低い海中に、台風などの影響を受けない海中があり、この海域を利用することを特徴とする外洋養殖場。
【考案の詳細な説明】
【技術分野】
【０００１】  本考案は、外洋に養殖できる場所を提供することである。
【背景技術】
【０００２】  海での養殖は，台風による被害の少ない湾などにかぎられていた。
【考案の概要】
【０００３】  海の潮が引いたとき、水平の干潟が現れるように、潮による破壊は港を守るために防波堤などを設置しなければならないほどであり、サンゴを削り取り水平な干潟にするほどの破壊力のすさましい場所でもあるが、干潟より３ｍほどの深さに、最も脆いとされるテーブルサンゴなどがあるのも事実であり、この水深の場所は、台風・気温の変動などの影響が少ない海中であり、この海域を利用して、養殖をすることです。
【考案が解決しようとする課題】
【０００４】  台風による潮の破壊力がテーブルサンゴのある水深にも及ぶといった誤った認識があるが、この領域の海水を動かすほどのエネルギーは台風では発生しないことをサンゴが証明しています。サンゴは長い年月をもって形成されることは、誰でも知っている事ではないでしょうか、海洋生物に適した水深を維持することは、台風による影響がないことが理解できれば、容易いことであります。
【課題を解決するための手段】
【０００５】  サンゴよりは堅牢な農業用コンテナなどの入れ物に海洋生物を入れて、潮流に流されないようにするだけでなく、その水深を保つような浮力ある設置台をアンカーで海底に固定することで養殖ができる。
【考案の効果】
【０００６】  外洋に養殖場を設置することにより、より多くの海産物を育てることができる。陸より広く、ほとんど何もない海中に、海洋生物を育てることが出来るようになるので、地球の温暖化を遅らせる可能性も期待できる。
【図面の簡単な説明】
【０００７】
【図１】本考案の海藻を育てる実施例を示す沖合から見た図・側面図である
【図面の簡単な説明】
【０００８】  サンゴが生息する海域に、海藻の生育に適した水深に設置台を浮かべて、海藻を植えた農耕用のコンテナにウニやアワビなどを入れて、設置台と固定する。
【実施例】
【０００９】  以下、添付図面に従って、実施例を説明する。２は、潮の満ち引きにより、３より上がったり、下がったりを繰り返す。２の波による浸食の及ばない水深に４は存在する。４の上面よりは低い海中に５と６を設置する。５の水深は、中の海洋生物の育成に適した水深とし、６は潮流などにより、上下しない十分な浮力をもたせ、７と８によって９に固定する。５と６は、取り外しができるようにして、５は船上からの作業性・海洋生物の育成に適した形などを備えたものにする。
【符号の説明】１  陸地
２  海面
３  干潟面
４  サンゴ生息域
５  農耕用コンテナ
６  取付台
７  ロープ
８  アンカー
９  海底
【図１】
0003207812.tif 000003
【図２】
0003207812.tif 000004
【手続補正書】
【提出日】平成28年8月22日(2016.8.22)
【手続補正１】
【補正対象書類名】実用新案登録請求の範囲
【補正対象項目名】全文
【補正方法】変更
【補正の内容】
【実用新案登録請求の範囲】
【請求項１】
外洋には、干潟より３ｍほど低い海中に、台風などの影響を受けない海中があり、この海中に、取付台の上部に設置された農耕用コンテナが、ロープ及びアンカーを用いて固定されていることを特徴とする外洋養殖場
【手続補正書】
【提出日】平成28年10月6日(2016.10.6)
【手続補正１】
【補正対象書類名】明細書
【補正対象項目名】全文
【補正方法】変更
【補正の内容】
【考案の詳細な説明】
【技術分野】
【０００１】  本考案は、外洋に養殖できる場所を提供することである。
【背景技術】
【０００２】  海での養殖は，台風による被害の少ない湾などにかぎられていた。
【考案の概要】
【０００３】  海の潮が引いたとき、水平の干潟が現れるように、潮による破壊は港を守るために防波堤などを設置しなければならないほどであり、サンゴを削り取り水平な干潟にするほどの破壊力の激しい場所でもあるが、干潟より３ｍほどの深さに、最も脆いとされるテーブルサンゴなどがあるのも事実であり、この水深の場所は、台風・気温の変動などの影響が少ない海中であり、この海域を利用して、養殖をすることです。
【考案が解決しようとする課題】
【０００４】  台風による潮の破壊力がテーブルサンゴのある水深にも及ぶといった誤った認識があるが、この領域の海水を動かすほどのエネルギーは台風では発生しないことをサンゴが証明しています。サンゴは長い年月をもって形成されることは、誰でも知っている事実であり、海洋生物に適した水深を維持することは、台風による影響がないことが理解できれば、容易いことであります。
【課題を解決するための手段】
【０００５】  サンゴが生息している海域に、その水深を保つような浮力があり、作業船などと接触しても破壊が最小限で済むような素材でできている水道の配管などに使われている塩ビパイプなどで構成された設置台を、周辺のサンゴに与える影響を、最小限にするために、海底に打ち込んだ杭のアンカーとロープで固定し、その設置台に、潮流などにより、設置台からは離れない程度の重さにしたサンゴよりは堅牢な農業用コンテナを組み合わせた籠に海洋生物を入れて、ロープなどで取り付けることで養殖ができる。
【考案の効果】
【０００６】  外洋に養殖場を設置することにより、より多くの海産物を育てることができる。陸より広く、ほとんど何もない海中に、海洋生物を育てることが出来るようになるので、地球の温暖化を遅らせる可能性も期待できる。
【図面の簡単な説明】
【０００７】
【図１】本考案の海産物を育てる実施例を示す沖合から見た図
【図２】側面図
【実施例】
【０００８】  以下、添付図面に従って、実施例を説明する。２は、潮の満ち引きにより、３より上がったり、下がったりを繰り返す。２の波によって３は浸食されるが、２の波による浸食が及ばない水深に４は存在する。４の上面よりは５の上面が低い水深になるように６を、９に固定した８と７を使って、水深が潮流や５の重量によって、上下しない十分な浮力をもたせた６を設置する。６に設置する５は、潮流などによって６と離れない程度の重量にして、６と取り外しができるように固定する。５の海産物の回収は、船上から引き上げる際に、６から取り外して行う。
【符号の説明】
【０００９】１  陸地
２  海面
３  干潟面
４  サンゴ生息域
５  農耕用コンテナ
６  設置台
７  ロープ
８  アンカー
９  海底
(57)【要約】      （修正有）【課題】簡易に持ち手ベルト等の装着が可能となり、印版が収納レールに挿入され安定した状態での移動が確保される印版収納レールを提供する。【解決手段】印版収納レール上部に鶏冠状の突起板Ｆを設けその突起板に持ち手ベルト装着のための通し穴Ｇを施す。【選択図】図３
0003207836.tif 000002
【実用新案登録請求の範囲】
【請求項１】
収納レールの上部に、鶏冠状の突起板を設け突起板に引掛け用の通し穴を施した事を特徴とした印版収納レール。
【考案の詳細な説明】
【技術分野】
【０００１】  本考案は、段ボール印刷等に使用する、印版の収納レールに関するものである。
【背景技術】
【０００２】  段ボールの印刷には、樹脂版が多く用いられ一般的にそれらの版は整版キャリアシートに貼り込まれ、印版保管ラックの収納レールに挿入し、キャリアシートの止め棒で落下しない様に吊るして保管されている。（図１）
印版総重量は２色１点で２ｋｇ〜５ｋｇが一般的でかなり重いものである。
印版保管場所から印刷機までの移動は、収納レールからキャリアシートを引き出して止め棒に指を掛けたり、キャリアシートを丸めたりして移動している。（図２）
【考案の開示】
【考案が解決しようとする課題】
【０００３】  これらの印版移動方法ではキャリアシートが不安定で歪な形状になり易く、フイルムの破断、版の変形や損傷、止め棒とフイルムシートが剥がれる等の印版等破損事故が後を絶たず、効率的な工場運営の妨げとなっている。
又、女性や高齢作業者にとっても重労働作業となっている等、部分的な作業ではあるが幾多の課題が存在している。
【課題を解決する為の手段】
【０００４】  この課題を解決する為、請求項１の考案は印版収納レールの上部に鶏冠状の突起板を設けその突起板に通し穴を施す事で、簡易に持ち手ベルト等の装着が可能となり印版が収納レールに挿入され安定した状態での移動を確保し、当該課題を解決する。（図３、図４）
【考案の効果】
【０００５】  本考案の、収納レールの上部に通し穴を施す事により、持ち手具が容易に装着可能になり、
１．安定した印版移動が確保され印版等の損傷事故が抑制される。
２．複数の印版移動の同時作業が可能になる。
３．印版移動作業の省力化に繋がる。
４．高齢者や女性の印版担当業務が可能になる。
等、工場運営の効率化に寄与する。
【考案を実施する為の最良の形態】
【０００６】  本考案に係る請求項１は押し出し成型でレール上部に鶏冠状の突起板を設け、その突起板に通し穴を施す。（図３）
材質は、硬質プラスチック又は、アルミニウム製が望ましい。
【図面の簡単な説明】
【０００７】
【図１】  印版保管ラックの状態である。
【図２】  （１）手で持ち運ぶ印版移動の状態である。（２）脇に丸めて運ぶ印版移動の状態である。
【図３】  （１）本考案の１本型印版レールの図である。（２）本考案の２本型印版レールの図である。
【図４】  本考案の移動用印版レール使用図である。
【符号の説明】
【０００８】  Ａ    印版
Ｂ    整版キャリアシート
Ｃ    止め棒
Ｄ    収納レール
Ｅ    印版保管ラック
Ｆ    突起板
Ｇ    通し穴
Ｈ    持ち手ベルト
【図１】
0003207836.tif 000003
【図２】
0003207836.tif 000004
【図３】
0003207836.tif 000005
【図４】
0003207836.tif 000006
(57)【要約】      （修正有）【課題】多様なサイズ・形状のモバイルバッテリーおよび充電用ケーブルをしっかり固定できるモバイルバッテリーケースを提供する。【解決手段】モバイルバッテリーケースは、吸盤シート３を備え、平板状の面を持つモバイルバッテリー８は吸盤シート３により、充電用ケーブル７はゴムベルト１によってケース本体６に固定され、中敷２にはクリアポケット５が備えられ、カードや小物類を収納できる構成とする。【選択図】図４
0003207838.tif 000002
【実用新案登録請求の範囲】
【請求項１】
平板状の面を持つ多様なサイズや形状のモバイルバッテリーを吸盤シート、充電用ケーブルをゴムベルトによってケース本体に固定でき、中敷にはクリアポケットが備えられ、カードや小物類を収納でき、中敷によりモバイルバッテリーと充電用ケーブルが接触することなく保護されることを特徴とするモバイルバッテリーケース。
【考案の詳細な説明】
【技術分野】
【０００１】  この考案は，モバイルバッテリーケースに関する。
【背景技術】
【０００２】  モバイルバッテリーの普及により、多様なサイズや形状に対応したケースの需要が高まっている。【０００３】  従来のケースは，モバイルバッテリーと充電用ケーブルをまとめて袋状のケースに収納するなど、しっかりとケースに固定することができない。
【考案の概要】
【考案が解決しようとする課題】
【０００４】  本考案は、多様なサイズや形状のモバイルバッテリー、充電用ケーブルおよびカードや小物類をしっかり固定できるモバイルバッテリーケースを提供することを課題とする。
【課題を解決するための手段】
【０００５】  以上の課題を解決するため，本考案のモバイルバッテリーケースは、次の構成を備える。
モバイルバッテリーとケース本体との固定は吸盤シートを使用することで、平板状の面を持つモバイルバッテリーであれば多様なサイズや形状に対応し、充電用ケーブルはゴムベルトを使用して、しっかり固定できることを特徴とする。【０００６】  また、ケース本体にクリアポケットを備えた中敷を配置し、カードや小物類も同時に携行できる。【０００７】  ケース本体の開閉は磁力を使用したベルトまたはボタンやファスナーによって開閉する構成にしてもよい。
【考案の効果】
【０００８】  本考案によれば，モバイルバッテリー、充電用ケーブル、カードや小物類をひとつにまとめて管理できる。
【図面の簡単な説明】
【０００９】
【図１】正面図。
【図２】背面図。
【図３】ケースを閉じた時の正面図。
【図４】実施形態の斜視図。
【考案を実施するための形態】
【００１０】  以下に、本考案の実施形態を図面に基づいて説明する。
図１〜４は、本考案によるモバイルバッテリーケースの正面図、背面図、ケースを閉じた時の正面図、実施形態の斜視図である。
モバイルバッテリーケースは、（３）吸盤シートを備える。
【００１１】  平板状の面を持つ（８）モバイルバッテリーは（３）吸盤シートにより、（７）充電用ケーブルは（１）ゴムベルトによって（６）ケース本体に固定される。
【００１２】  （２）中敷には（５）クリアポケットが備えられ、カードや小物類を収納できる。また、（２）中敷を備えることにより（８）モバイルバッテリーと（７）充電用ケーブルが接触することなく保護される。
【００１３】  図３のように、ケースを閉じた時は（６）ケース本体と（４）ベルトの接触面はマグネットの磁力により固定される。また、固定方法はマグネットに限らずボタンやファスナーに変更してもよい。
【００１４】  （６）本体ケース、（２）中敷、（４）ベルトの材質は、皮革や弾性を有する樹脂等が好ましい。
【符号の説明】
【００１５】１ゴムベルト
２中敷
３吸盤シート
４ベルト
５クリアポケット
６ケース本体
７充電用ケーブル
８モバイルバッテリー
【図１】
0003207838.tif 000003
【図２】
0003207838.tif 000004
【図３】
0003207838.tif 000005
【図４】
0003207838.tif 000006
(57)【要約】      （修正有）【課題】情報発信が可能で、音階拡張機能を有したスマートフォン、タブレット等の携帯情報端末保持台座を提供する。【解決手段】台座Ｅの一部にＡＲ、ＶＲの閲覧ができる情報を埋め込み、スマートフォンＳやタブレットの専用アプリを介することで、台座Ｅより情報を受け取ることが可能とする。台座Ｅとしても縦置き、横置きでも安定して設置することができ、音声拡張機能も備えている。【選択図】図８
0003207834.tif 000002
【実用新案登録請求の範囲】
【請求項１】
携帯情報端末の保持台座であって、当該台座の一部に情報端末にインストールされているアプリケーションを作動させるためのコードを登載させていることを特徴とする携帯情報端末保持台座。
【考案の詳細な説明】
【技術分野】
【０００１】    本発明はスマートフォン、タブレット等の携帯情報処理端末用台座に関するものである。
【背景技術】
【０００２】スマートフォン、タブレット等の携帯情報処理端末の機能は多岐に渡っており、その機能の特性を発揮させるために、例えば特許文献１に音声拡張機能を有した台座が開示されている。また特許文献２及び３には、映像を立体的に見るための台座が開示されている。
【先行技術文献】
【特許文献】
【０００３】
【特許文献１】実用新案登録第３１９２８９３号
【特許文献２】実用新案登録第３１８３２２８号
【特許文献３】実用新案登録第３１８５４５８号
【考案の概要】
【０００４】
【考案が解決しようとする課題】
【０００５】  以上に述べた従来のスマートフォン台座にはＡＲ、ＶＲの閲覧ができる情報を台座の一部に埋め込み、スマートフォンやタブレットの専用アプリを介して、情報が得られる機能を有したものは無かった。
【課題を解決するための手段】
【０００６】  本考案は、携帯情報端末の保持台座であって、当該台座の一部に情報端末にインストールされているアプリケーションを作動させるためのコードを登載させていることを特徴とする携帯情報端末保持台座にかんするものである。スマートフォン及びタブレットなどの台座として利用するだけではなく、台座の一部にＡＲ、ＶＲの閲覧ができる情報を埋め込むことで、単なる台座として利用するだけではなく情報発信が可能な台座である。
【考案の効果】
【０００７】  スマートフォン及びタブレットなどの台座として利用でき、映像の再生作動機能と音声拡張機能も備えている。
【図面の簡単な説明】
【０００８】
【図１】本考案の全体図。
【図２】スマートフォン及びタブレット用台座の展開図。
【図３】組み立て方法を記載した図。
【図４】図３の後に行う組み立て方法を記載した図。
【図５】図４の後に行う組み立て方法を記載した図。
【図６】図５の後に行う組み立て方法を記載した図。
【図７】スマートフォン（Ｓ）を縦に載置して使用した図。
【図８】スマートフォン（Ｓ）を横に載置して使用した図。
【考案を実施するための形態】
【０００９】  ＡＲ、ＶＲを台座の一部にコードとして印刷することで、アプリを介して読み込むことで情報を発信できる。コードは画像、イラスト、テキストなどあらゆるものが可能で、コードで読み込む情報も随時更新が可能である。そのため台座として利用するだけではなく、新しい情報を発信できる台座として活用ができる。
【実施例】
【００１０】  本考案の台座の組み立て、使用方法を以下に示した。
図２に示す展開した状態で左右のＡ部分の両側を４カ所の折り目Ａ１〜Ａ４に沿って曲げる（図３）。次いで、図４に示すようにＢの面を折り、３の状態で固定させ、両側も折り目のＢ１、Ｂ２に沿って折る。さらに、両側Ｄを折り、Ｃ面を上方向に折り、左右の切込み部分Ｄ１、Ｄ２に差し込んで完成させる。（図５，６）。
【産業上の利用可能性】
【００１１】  企業や個人のノベルティ商品としての配布、独自で台座に印刷を行うことでオリジナル商品としての販売が可能である。
【符号の説明】
【００１２】  Ａ１〜Ａ４  折り目
Ｂ１〜Ｂ２  折り目
Ｃ  正面
Ｄ  側面
Ｄ１〜Ｄ２  切込み
Ｅ  台座
Ｇ  コンテンツ読み込み用のテキスト、イラスト、画像
Ｈ１〜Ｈ４  穴
Ｋ  くぼみ
Ｓ  スマートフォンおよびタブレット
【図１】
0003207834.tif 000003
【図２】
0003207834.tif 000004
【図３】
0003207834.tif 000005
【図４】
0003207834.tif 000006
【図５】
0003207834.tif 000007
【図６】
0003207834.tif 000008
【図７】
0003207834.tif 000009
【図８】
0003207834.tif 000010